(57)【特許請求の範囲】
【請求項１】
上部の開口部に開閉自在な蓋体を備えた本体ケースと、
上記上部の開口部に向かって上部を開口させた状態で上記本体ケース中に配した生ゴミ処理槽と、
上記生ゴミ処理槽内を加温する加温手段と、
上記生ゴミ処理槽中に配した被処理物を損傷させる板状ブレード部材であって、上記生ゴミ処理槽の底部内面に被処理物の攪拌移動方向と平行に固設した板状ブレード部材と、
上記生ゴミ処理槽中に配した、回転軸及びこれに直角に固設した複数の攪拌棒からなる攪拌手段であって、上記該攪拌棒が前記板状ブレード部材の向きと平行な平面内を通過するように配置すると共に、そのうちの１本の攪拌棒が先端に構成した溝で、前記板状ブレード部材を跨いで通過するように配置した攪拌手段と、で構成した消滅型生ゴミ処理機。
【請求項２】
前記溝を、前記攪拌棒の先端中央部を門型に削除すること又は前記攪拌棒の先端部に２枚の板材を門型に突き出すように固設することのいずれかによって構成した請求項１の消滅型生ゴミ処理機。
【発明の詳細な説明】
【０００１】
【発明の属する技術分野】
本発明は家庭用生ゴミを微生物の働きにより水と二酸化炭素とに分解して消滅させる消滅型生ゴミ処理機に関するものである。
【０００２】
【従来の技術】
従来の消滅型生ゴミ処理機には次のような種々のタイプのものがある。
まず従来例の１は、本体ケースに生ゴミ処理槽を配し、かつ該生ゴミ処理槽に攪拌手段を備えたものである。上記攪拌手段は手動又は電動により攪拌羽根を回転して生ゴミ処理槽中の生ゴミを攪拌する手段である。
【０００３】
この従来例の１の消滅型生ゴミ処理機は、多孔質の木材チップに微生物を混入させて構成した基材を、予め、その生ゴミ処理槽に投入しておいて使用するものである。その後は、基材を投入した生ゴミ処理槽に生ゴミを投入し、通常、その都度攪拌手段で該生ゴミと基材とを良く混合し、かつそれらの中に空気を導入する。そして基材中の微生物の働きにより、前記のように、生ゴミを水と二酸化炭素とに分解して消滅させようとするものである。
【０００４】
この従来例の１の消滅型生ゴミ処理機は、前記のように、安価で簡単な構造であるが、良好に作動すれば、以上のように機能する筈のものである。しかし吸排気機構がないので、空気の導入も不完全であり、生ゴミの分解が完全には行なわれ難い。生ゴミの投入に随伴した水分及び生ゴミの分解過程で生じた水分が生ゴミ処理槽の底部に溜まり易く、そのため生ゴミの腐敗が生じる等の問題も発生し、実際上、生ゴミの良好な分解は期待できない。
【０００５】
従来例の２の消滅型生ゴミ処理機は、本体ケース中に、下部に通気用開口部を開けた上部解放の内ケースを配し、該内ケース中に多数の小孔をあけた生ゴミ処理槽を装入して配設し、かつ該生ゴミ処理槽中に攪拌手段を構成し、更に前記本体ケースと内ケースとの間に、通気用開口部を通じて下方から前記生ゴミ処理槽に温風を送り込む温風送風手段を配して構成したものである。本体ケースの下部には、更に吸気口が開口してあり、かつ上側部には対応する排気口が開口してある。
【０００６】
この従来例の２の消滅型生ゴミ処理機の場合も、前記従来例の１の場合と同様に、予め基材を投入してある生ゴミ処理槽に生ゴミを投入し、通常、その都度攪拌手段で生ゴミ等の攪拌混合を行なうものであるが、加えてこの従来例の２では、生ゴミ処理槽に開けた多数の小孔から過剰の水分及び分解過程で生じた水分を流下させることにより、内部の水分条件を改善し、更に前記温風送風手段により下方から生ゴミ処理槽中に温風を吹き込むことにより、微生物の増殖活動を活発にし、これによって生ゴミの分解を促進しようとするものである。
【０００７】
この従来例の２の消滅型生ゴミ処理機は、通常投入される生ゴミ類の場合は、ほぼ充分にその機能を発揮し、前記従来例の１に比べ、生ゴミの水及び二酸化炭素への分解が良好に行なわれるようになる。しかして一般的な生ゴミの分解処理の問題はかなりの程度クリアできるものとなるが、投入される生ゴミの水分の割合、その投入量及び／又は外気温等との関係で、時として、前記温風送風手段による温風の作用が強く働き過ぎ、その結果、生ゴミの水分割合の低下が必要以上に進行し、微生物の活動条件を悪化させてしまう問題が発生することがある。
【０００８】
またこのような生ゴミ処理機中には、丸のままのリンゴ、バナナ又はニンジン等の果物類や野菜類等が投入されることもしばしばあり、このようなものが投入された場合には、それらの果物類や野菜等の皮が比較的強靱であるため、微生物か容易にその内部に侵入し得ず、実際上なかなか分解できないと云う問題もある。
【０００９】
従来例の３の消滅型生ゴミ処理機は、本体ケース中に、下部に多数の小孔をあけた生ゴミ処理槽を配設し、その中に攪拌手段を設け、かつその上部の上方から空気を吹き込むエアーポンプを配し、更に該生ゴミ処理槽の下部には、その下部の小孔から流下する水分及び吹き出される排気を集める漏斗状部を備えた案内筒を構成し、該案内筒の下端を本体ケース内底部に配した脱臭槽の脱臭液中に開口させ、加えて、本体ケースの下部に、脱臭されて脱臭液面から放出された排気を排出する排気管を配設して構成したものである。
【００１０】
この従来例の３の消滅型生ゴミ処理機の場合も、前記従来例の１の場合と同様に、予め基材を投入してある生ゴミ処理槽に生ゴミを投入し、通常、その都度攪拌手段で生ゴミ等の攪拌混合を行なうものであるが、加えてこの従来例の３では、生ゴミ処理槽に開けた多数の小孔から過剰の水分及び分解過程で生じた水分を流下させることにより、内部の水分条件を改善し、更に前記エアーポンプにより上方から生ゴミ処理槽中に空気を吹き込むことにより、微生物の増殖活動を活発にし、これによって生ゴミの分解を促進しようとするものである。
【００１１】
また前記エアーポンプで上方から吹き込まれる空気及び分解過程で生じた二酸化炭素等の気体成分は生ゴミ等の間を通じてその下方に移動し、更に案内筒を通って脱臭槽の脱臭液中に導かれ、その液中で生ゴミ臭等の異臭が除去され、液面より本体ケースの下部に放出されることとなる。更にこうして放出された気体成分は前記排気管を通じて本体ケース外に排出されることとなる。また生ゴミ中の過剰水分及び分解過程で生じた水分も同様に脱臭液中に流下し、該液中で異臭の除去が行なわれる。
【００１２】
従って、この従来例の３の消滅型生ゴミ処理機は、前記従来例の１に比べて、生ゴミの水及び二酸化炭素への分解が良好に行なわれるようになり、腐敗臭の外部への放出も軽減できるものである。しかして一般的な生ゴミの分解処理の問題はかなりクリアできるものとなるが、冬季等の微生物の活動に充分な温度を確保できない時期には生ゴミの分解が不充分になることを認めざるを得ない。
【００１３】
更にこのような生ゴミ処理機中には、丸のままのリンゴ、バナナ又はニンジン等の果物類や野菜等が投入されることもしばしばあり、このような場合には、それらの果物類や野菜類等の皮が比較的強靱であるため、微生物が容易にその内部に侵入し得ず、前記従来例の２と同様に、これらについては実際上なかなか分解できないと云う問題を克服することができない。
【００１４】
従来例の４の消滅型生ゴミ処理機（特開平１１−３３５２２号公報）は、本件出願人の出願に係るものであり、上部の開口部に開閉自在な蓋体を備えた本体ケースと、上記開口部に向かって上部を開口させた状態で上記本体ケース中に配した生ゴミ処理槽と、上記生ゴミ処理槽中に配した攪拌手段と、上記生ゴミ処理槽から外気に開口する吸排気手段と、上記生ゴミ処理槽内を加温する加温手段と、上記生ゴミ処理槽中に配した刃物であって、前記攪拌手段で攪拌移動させられる被投入物をその移動にともなって損傷させる刃物とで構成した消滅型生ゴミ処理機である。
【００１５】
しかして上記従来例の４の消滅型生ゴミ処理機は、前記のように、他の重要な機能を備えた上で、生ゴミ処理槽内に一般の生ゴミの他に、丸のままの果物類や野菜類等が投入された場合に、これらの果物類や野菜類等に対して、少なくとも表面の皮に傷をつけ、微生物が容易にそれらの内部に侵入して分解作用を行ない得るようにしたところに特徴を有するものである。
【００１６】
従来例の４の消滅型生ゴミ処理機の以上に示した特徴は、具体的には、以下に示す構成によって果たされるものである。
即ち、特徴部分の構成は、図４に示すように、生ゴミ処理槽２２内に２枚の刃物２８ａ、２８ａを配したことにある。上記２枚の刃物２８ａ、２８ａは、その下部で両者を繋ぐ連結板部２８ｂによってＵ字状に連結して、該刃物２８ａ、２８ａを攪拌手段による生ゴミ等の攪拌移動方向と平行に向きを定め、中央部を旋回する攪拌棒２３ｃとの間隔を開けて前記生ゴミ処理槽２２内の底部内面に固設したものである。
【００１７】
従って、このような従来例４の消滅型生ゴミ処理機は、その特徴部分についてのみ説明すれば、丸のままの果物類や野菜類等が投入されたような場合でも、これらの果物類や野菜類等に対して、少なくとも表面の皮に傷をつける程度の損傷を容易に与えることができるようになり、その結果、従来例３までのものと比べて飛躍的に早い分解速度での分解に寄与することとなったものである。
【００１８】
しかしながら使用テストを更に繰り返すうちに、生ゴミ処理槽１２内の基材や生ゴミ等の攪拌移動に於いて、前記２枚の刃物１８ａ、１８ａの周辺、特に該刃物１８ａ、１８ａの基部付近に、基材や生ゴミ等が滞って動かない死角が生じ易いことが分かった。
【００１９】
【発明が解決しようとする課題】
本発明は、従来例４に於ける全ての利点を生かしながら、その欠点である刃物周辺に基材や生ゴミ類が滞ることがある問題点を解決するとともに、更に進んで、よりスピーディな生ゴミ類の分解速度を実現するために、投入された生ゴミ類の断裁又は破砕をより短い時間でより細かな状態にまで行い得るようにした消滅型生ゴミ処理機を提供することを解決の課題とする。
【００２０】
【課題を解決するための手段】
本発明の１は、上部の開口部に開閉自在な蓋体を備えた本体ケースと、
上記上部の開口部に向かって上部を開口させた状態で上記本体ケース中に配した生ゴミ処理槽と、
上記生ゴミ処理槽内を加温する加温手段と、
上記生ゴミ処理槽中に配した被処理物を損傷させる板状ブレード部材であって、上記生ゴミ処理槽の底部内面に被処理物の攪拌移動方向と平行に固設した板状ブレード部材と、
上記生ゴミ処理槽中に配した、回転軸及びこれに直角に固設した複数の攪拌棒からなる攪拌手段であって、上記該攪拌棒が前記板状ブレード部材の向きと平行な平面内を通過するように配置すると共に、そのうちの１本の攪拌棒が先端に構成した溝で、前記板状ブレード部材を跨いで通過するように配置した攪拌手段と、で構成した消滅型生ゴミ処理機である。
【００２１】
従って、本発明１の消滅型生ゴミ処理機によれば、生ゴミ処理槽に投入された生ゴミ類は、攪拌手段で攪拌されて槽内を移動し、その際に、その攪拌棒によって前記板状ブレード部材に押付けられ、断裁や解砕が行われる機会にもしばしば会うこととなり、徐々に細かな断片状になる。そして、生ゴミ類は、そのような小さな断片状になると、微生物の侵入が容易になる損傷部の面積が増え、分解速度が飛躍的に向上することとなる。
【００２２】
前記生ゴミ処理槽に投入された被処理物中に、例えば、リンゴやバナナ又はニンジンやジャガイモ等の丸のままの果物や野菜等が含まれていた場合にも、云うまでもなく、動作は同様に行われ、それらの丸のままの果物や野菜等もまた攪拌手段で攪拌されて、他の生ゴミ類と共に生ゴミ処理槽中を移動することとなり、その際にそれらの丸のままの果物や野菜等も、前記板状ブレード部材に同様にして接触し、あるいは押しつけられて、いずれ損傷を受けることとなる。そしてこれが繰り返されるうちにより小さなものに破砕乃至断裁されることとなる。
【００２３】
これらの丸のままのリンゴやカボチャのような果物や野菜に関しては、皮の付いた状態では、微生物類が容易にその内部に侵入することができないため、なかなか分解が進行しないという問題があるが、以上のように、板状ブレード部材に接触して損傷が生じれば、その部位から微生物が侵入し、損傷のない状態に比べれば飛躍的に分解速度が向上することとなる。前記のように、これが更に攪拌手段による攪拌動作に伴って一層小片化されることとなったので、微生物との接触損傷面積が増加し、さらに分解速度の向上が認められることになるものである。
【００２４】
分解の過程を更に詳しく述べると、損傷を受け、より破砕が進んだ丸のままの果物や野菜等及びその他の生ゴミ類は、前記基材と共に攪拌手段により攪拌混合され、かつ加温手段により加温されて、気相条件及び温度条件が良好となり、微生物による良好な分解作用が行われ、水と二酸化炭素とに分解され、水は一部が水蒸気となって蒸発し、徐々に消滅することになる。そして分解によって生じた二酸化炭素や水蒸気及びその他の気体成分は、吸排気手段を通じて大気中へ放出されることとなる。必要により臭気吸着部を構成しておけば、気体成分中の生ゴミ臭もこれによって除去されることとなる。
【００２５】
なお前記被処理物を損傷させたり、断裁させたり、解砕させたりする際に、前記板状ブレード部材に付着することのある被処理物の粕は、前記攪拌棒が、その回転動作の際に、その溝で、前記板状ブレード部材を跨いで通過することとなるので、その際に上記溝の縁部の作用で除去されることとなり、該板状ブレード部材の損傷又は破砕能力は、常時これを良好に維持することができる。
【００２６】
また、前記のように、攪拌手段の攪拌棒と板状ブレード部材との関係が良好であるため、前記生ゴミ処理槽に於いては、攪拌手段による攪拌動作の際に、生ゴミ類が停滞して動かなくなるような死角は全く生じないので、停滞に起因する被処理物の気相条件の悪化の問題等が発生せず、良好な被処理物の分解が認められる。更に良好な攪拌作用が実現できるため、被処理物が板状ブレード部材に接触する機会も増加し、その結果、既述のように、生ゴミ類がより細かに破砕乃至断裁され、一層その分解が促進される結果となるものである。
【００２７】
加えて前記板状ブレード部材は、その周囲に鋭利な部分のない構成とすることができるので、生ゴミ処理槽内の点検や保守作業等に於いて、作業者に安全である利点を獲得することができる。
【００２８】
本発明の２は、本発明の１の消滅型生ゴミ処理機に於いて、前記溝を、前記攪拌棒の先端中央部を門型に削除すること又は前記攪拌棒の先端部に２枚の板材を門型に突き出すように固設することのいずれかによって構成した消滅型生ゴミ処理機である。
【００２９】
従って、本発明の２の消滅型生ゴミ処理機によれば、前記攪拌棒へ前記溝を簡単容易に形成することができる。特に前記攪拌棒が細いような場合には、前記攪拌棒の先端部に２枚の板材を門型に突き出すように固設する方法を用いれば、前記溝を一層容易に形成することができる。
【００３０】
【発明の実施の形態】
以下、本発明の実施の形態を実施例に基づいて、添付図面を参照しながら説明する。
図１〜図３は本発明を適用した消滅型生ゴミ処理機の実施例を示しており、図１はその正面説明図、図２はその右側面説明図、図３は他の実施例の攪拌棒の先端部と板状ブレード部材とを示す説明図、図４は従来例の攪拌棒と刃物とのみを示す右側面説明図である。
【００３１】
この実施例の消滅型生ゴミ処理機は、図１及び図２に示すように、本体ケース１と、これに内装した生ゴミ処理槽２と、該生ゴミ処理槽２に構成した攪拌手段３と、上記生ゴミ処理槽２に結合した排気筒４及び排気口５からなる吸排気手段と、上記生ゴミ処理槽２の底部外面に配した加温手段６と、上記攪拌手段３、上記排気筒４の排気手段４ｂ及び上記加温手段６の動作を制御する制御部７と、上記生ゴミ処理槽２の底部上面に配した板状ブレード部材８ａとを基本構成要素として構成したものである。
【００３２】
前記本体ケース１は、上部の開口した直方体状箱型の部材で、その上部開口部には、図１及び図２に示すように、ヒンジ１ａを介して起伏開閉自在に蓋体１ｂを配してある。また前記本体ケース１の下部には空気導入用のスリット（図示していない）が開口してある。
【００３３】
前記生ゴミ処理槽２は、特に図１に示すように、正面から見て下部が半円形であり、その両上側端及び前後端面から側板が上方に伸びた構成である。上部は全部開放状態であり、前記本体ケース１の上部の開口部に向かって開いている。
【００３４】
前記板状ブレード部材８ａは、図１及び図２に示すように、これを繋ぐ取付板８ｂを介して生ゴミ処理槽２の底部上面に固設したものである。そして前記板状ブレード部材８ａの向きは、後述する攪拌手段３の攪拌動作に伴う攪拌棒３ｃ、３ｃ、３ｃの回転移動の方向に一致させたものである。
【００３５】
前記攪拌手段３は、図１及び図２に示すように、前記生ゴミ処理槽２の前後の側板に配した軸受３ａ、３ａに回転自在に配した回転軸３ｂと、これに直交する向きに配した３本の攪拌棒３ｃ、３ｃ、３ｃと、前記回転軸３ｂの端部に固設した大径のスプロケット３ｄと、本体ケース１の底部上に配した電動モータ３ｅと、該電動モータ３ｅの出力軸に固設した小径のスプロケット３ｆと、該小径のスプロケット３ｆと前記大径のスプロケット３ｄとの間に掛け渡したチェーン３ｇとで構成したものである。
【００３６】
また前記３本の攪拌棒３ｃ、３ｃ、３ｃのサイズとしては、その長さは前記回転軸３ｂに配して回転させた際にその先端が前記生ゴミ処理槽２の底面に接触はしないが、その直前を移動する程度のものとする。そして前記３本の攪拌棒３ｃ、３ｃ、３ｃの内の１本の攪拌棒３ｃ（この実施例では中央部に配した攪拌棒３ｃ）は、前記板状ブレード部材８ａの位置する面と同一面内を回転するように前記回転軸３ｂに固設する。更にこの攪拌棒３ｃには、その先端部に前記板状ブレード部材８ａを跨いで通過するための溝Ｍ１を形成する。
【００３７】
しかして生ゴミ処理槽内の被処理物は、攪拌手段３の攪拌動作によって移動し、その中央の攪拌棒３ｃ及び前記板状ブレード部材８ａの共同の作用によって損傷され、このとき、前記板状ブレード部材８ａには被処理物である生ゴミの粕等が付着することがあるが、前記中央部の攪拌棒３ｃが旋回する際に、該攪拌棒３ｃに形成した前記溝Ｍ１の作用により削ぎ落とされることとなる。即ち、攪拌棒３ｃによって移動される被処理物のうち、溝Ｍ１付近で押されているものが前記板状ブレード部材８ａに強く作用することにより、それに付着していることのある粕なども除去され、該板状ブレード部材８ａの損傷又は破砕能力等は、常時これを良好に維持することができる。
【００３８】
また前記攪拌手段３は、これに代えて、他の実施例として、中央部の攪拌棒３ｃのみが異なる攪拌手段１３を採用することができる。
この攪拌手段１３は、図３に示すように、中央部の攪拌棒１３ｃの先端部に２枚の板材１３ｈを両側から挟んで門型に突き出すようにして、前述の攪拌棒３ｃを削って形成した溝Ｍ１と同じような溝Ｍ２を形成し、前記板状ブレード部材８ａを跨ぐ間隔を保持するように構成したものである。この場合には云うまでもないが、上記２枚の板材１３ｈ、１３ｈは攪拌動作を行った時にその先端が生ゴミ処理槽２の底部に接触しないように固設するものである。この攪拌手段１３は、既述のように、他の構成は、前記攪拌手段３と全く同一である。この攪拌手段１３でも前記攪拌手段３と同様に作用する。
【００３９】
前記吸排気手段は、前記のように、排気筒４と吸気口５とからなるものである。その内、排気筒４は、図１及び図２に示すように、上端が前記生ゴミ処理槽２の上部の一側に開口し、他端が前記本体ケース１の底部下に開口するように構成し、かつその排気筒４にそれぞれフイルタ４ａ、排気手段４ｂ及び臭気吸着部４ｃを配し、前記吸気口５は、前記生ゴミ処理槽２の上部側に於いて該生ゴミ処理槽２と本体ケース１との隙間空間中に開口させて構成したものである。
【００４０】
更に詳細に述べれば、前記排気筒４は、図２に示すように、一端を前記生ゴミ処理槽２の上端部に横長方形の開口部に開口し、他端を前記排気手段４ｂを介して前記本体ケース１の底部下に開口させたものである。図１に示すように、前記フイルタ４ａは生ゴミ処理槽２の上側部に開口する開口部に配し、前記臭気吸着部４ｃは、上記フイルタ４ａに近接して、その排気側に配する。
【００４１】
また前記排気手段４ｂは本体ケース１の底部上に配し、排気筒４の外端側に位置させる。前記フイルタ４ａは、この例では主として粉塵のような固形成分を除去する部材を採用し、前記臭気吸着部４ｃは、この例では、吸着室と、これに出し入れ自在に配した籠状箱体であって、活性炭や、ゼオライトをその成分に含むセラミックボール等を詰め替え自在に充填した籠状箱体とで構成し、更に前記排気手段４ｂは、この例では、ブロアとこれを駆動する電動モータとで構成したものである。
【００４２】
前記吸気口５は、図１に示すように、前記排気筒４の生ゴミ処理槽２への開口部と対面して、該生ゴミ処理槽２の上側部に開口し、その外側部に、排気筒４に配したフイルタ４ａと同様のフイルタ５ａを配する。こうして生ゴミ処理槽２の上側部に開口させると、該生ゴミ処理槽２の配置関係から、これは必然的に、生ゴミ処理槽２と本体ケース１の間の隙間空間に開口することとなる。
【００４３】
前記加温手段６は、この例では、シート状のヒーターを採用し、これを前記生ゴミ処理槽２の下面に接合状態に装着したものである。
【００４４】
前記制御部７は、前記のように、前記攪拌手段３、前記排気筒４の排気手段４ｂ及び加温手段６の動作を制御するものであるが、より詳しく述べると、次の通りである。
【００４５】
まず攪拌手段３については、この例では、前記電動モータ３ｅを、正転１０分、停止５分、逆転１０分、停止１５分のサイクルを繰り返すように制御し、これによって攪拌棒３ｃ、３ｃ、３ｃを付設した前記回転軸３ｂに同様の回転及び停止のサイクルを繰り返させる（これ以外の回転又は停止のサイクルでも不都合ではない）。なお前記蓋体１ｂが開けられた際に、前記電動モータ３ｅが回転駆動していた場合には、直ちに停止して安全を確保するようにも制御する。
【００４６】
前記排気筒４の排気手段４ｂは、その電動モータを、原則として、前記攪拌手段３の電動モータ３ｅに連動して動作させ、攪拌手段３の攪拌動作に連動して排気動作をさせるように制御する。ただし、この排気手段４ｂの電動モータは、前記蓋体１ｂを開けた場合は、必ず動作させ、蓋体１ｂの開いている間は、常に排気動作を行っているように制御し、生ゴミ処理槽２の上部開口から異臭が立ち上がらないようにする。
【００４７】
また前記加温手段６については、生ゴミ処理槽２内を５０℃前後に保持するようにこれを制御する。ここで制御温度を５０℃前後としたのは、生ゴミ処理槽２内を上記温度前後に加温しておくと、生ゴミ中に含まれているさまざまな雑菌、回虫卵、有鉤条虫卵、又は蠅の卵等を死滅又は不活化させることが知られており、それらの雑菌による生ゴミの腐敗や成虫化した回虫等による種々の弊害を予め除去することができることによる。しかしてここで生ゴミの分解に用いる微生物はこのような温度で死滅又は不活化しないものを採用すべきであることは云うまでもない。
【００４８】
従って、この実施例の消滅型生ゴミ処理機によれば、その生ゴミ処理槽２に投入した生ゴミ類を、細かに裁断乃至破砕して、より微生物のその内部への進入を容易にし、かつ生ゴミ類の板状ブレード部材８ａの基部付近への停滞等を一切なくし、こうして攪拌状態を良好にし、全体の気相条件を良好に保持することにより、腐敗等を発生させず、良好に水と二酸化炭素とに分解させ、更に分解生成したそれらの二酸化炭素や水蒸気及びその他の気体成分を、それらから良好に異臭成分を除去した上で排気することにより、周囲に異臭をまき散らすこともないものともなる。
【００４９】
次に以上の実施例の消滅型生ゴミ処理機の運転使用方法について述べると、前記生ゴミ処理槽２には、予め多孔質の木材チップに微生物を混入させて構成した基材を投入しておく。その上で、前記制御部７の制御動作、即ち、前記攪拌手段３、前記吸排気手段に於ける排気筒４の排気手段４ｂ及び加温手段６に対する前記制御動作を開始させる。
【００５０】
まず前記加温手段６の加温動作により、生ゴミ処理槽２内を５０℃前後に昇温して保持し、かつ前記排気手段４ｂの動作により、生ゴミ処理槽２中の気体を前記排気筒４を通じて本体ケース１の底部下から排出させる。排気筒４を通過する気体はフイルタ４ａを通過する時点で粉塵等の固体成分が除去され、かつその中に含まれる異臭成分は前記臭気吸収部４ｃで吸収される。また排気手段４ｂの動作に伴って生ゴミ処理槽２内が陰圧となり、その中に、前記吸気口５を通じて、該生ゴミ処理槽２と本体ケース１との隙間空間中の空気が吸引導入される。なおこの隙間空間中の空気は前記加温手段６で加温されているため、微生物の活動に好ましい影響を与える。
【００５１】
生ゴミは、以上のように準備しかつ動作させた状態で、例えば、発生の都度、生ゴミ処理機に投入することができる。前記蓋体１ｂを開けて生ゴミを投入し、再度該蓋体１ｂを閉じると、前記のように行われる前記攪拌手段３の攪拌動作により、前記基材と投入生ゴミとが攪拌混合され、それによってそれらの間に空気が導入される。これらの基材と生ゴミとの混合物は、前記加温手段６で前記のように５０℃前後に昇温して保持され、基材に混合されていた微生物が活発に活動することにより、水と二酸化炭素とに分解され、水は水蒸気となって蒸発する。こうして投入された生ゴミは徐々に消滅することとなる。
【００５２】
そして以上の動作に於いて、前記生ゴミ類、例えば、みかんの皮やキャベツやネギやホーレン草等は、前記攪拌手段３の作用により攪拌され、この攪拌動作に伴って移動し、生ゴミ処理槽２の底部をも移動することとなる。そして前記生ゴミ類は、この移動の際に、前記板状ブレード部材８ａの設置してある付近を通過すると、前記板状ブレード部材８ａに、これと同一平面中を回転する前記攪拌棒３ｃによって押付けられて、容易に断裁又は破砕されるようになる。これが繰り返されることにより、徐々に細かに破砕乃至断裁されることとなる。
【００５３】
前記生ゴミ類の中に丸のままのリンゴ、バナナ、ニンジン、ジャガイモ、カボチャまたはスイカのような果物類又は野菜類等が含まれていた場合には、これらもまた他の一般の生ゴミ類と同時に前記攪拌手段３の作用により攪拌され、この攪拌動作に伴って移動し、生ゴミ処理槽２の底部をも移動することとなる。そしてこの移動の際に、前記板状ブレード部材８ａの設置してある付近を通過すると、前記板状ブレード部材８ａに、これと同一平面中を回転する前記攪拌棒３ｃによって押付けられて、まずは、それらの表面や内部が容易に損傷されるようになる。これらは堅くて大きい場合が多いので、簡単に細かなものにはならないが、それでも順次繰り返されると、徐々に細かなものとなる。
【００５４】
丸のままの果物類や野菜類等のように、皮が完全に内部を覆っている場合には、微生物が容易には内部に侵入し得ず、なかなか分解を進行させることができないが、こうして表面や内部が損傷されるようになると、微生物の侵入が容易になり、急速に分解を進行させることができるものとなる。勿論、前記のようにして更に細かに破砕されれば、微生物と接触する損傷部の面積が増えるので、一層スピーディに分解が進行し、その結果、これらもまた水と二酸化炭素とに分解され、徐々に消滅することとなる。
【００５５】
なお前記板状ブレード部材８ａは、以上の作用の他に、生ゴミ処理槽２の底部外に配した加温手段６の発生熱を内部の生ゴミ類に良好に伝達する熱伝達作用をも果たしている。この場合に、前記板状ブレード部材８ａが加温されて前記のように５０℃前後に昇温すると、板状ブレード部材８ａに付着していることのある生ゴミ等の粕が、攪拌手段３が停止している間に乾燥して固着し易くなってくる。
【００５６】
しかし、前述のように、攪拌手段３の中央部の攪拌棒３ｃが攪拌動作の際に、その溝Ｍ１で前記板状ブレード部材８ａを跨いで通過する都度、該板状ブレード部材８ａに付着していることのある生ゴミ等の粕を除去することとなる。これによって、攪拌手段３が停止している間に、前記板状ブレード部材８ａに付着していることのある生ゴミ等の粕が乾燥固化することはなく、前記板状ブレード部材８ａの生ゴミ類に対する損傷能力を維持することができる。
【００５７】
次に、テスト例によってこの実施例の消滅型生ゴミ処理機の能力のうち生ゴミ類の破砕乃至断裁能力を具体的に説明する。
【００５８】
＜テスト１＞
図１及び図２に示した実施例の消滅型生ゴミ処理機の生ゴミ処理槽２（生ゴミ処理槽２の有効内容量が６．５リットル、その槽内の底部中央には長さ９０ｍｍ、高さ５５ｍｍ、厚さ３ｍｍの板状ブレード部材８ａを１枚配設し、攪拌棒３ｃ、３ｃ、３ｃは棒の径２５ｍｍ、長さ１５０ｍｍとして槽内に３本配設し、その内、中央部の攪拌棒３ｃには、前記板状ブレード部材８ａを跨ぐ幅７ｍｍ、長さ４５ｍｍの溝Ｍ１を形成してある）に被処理物としてキャベツ葉（１枚のサイズ：縦３０ｃｍ×横２５ｃｍ＝面積７５０ｃｍ２  ）１１枚を投入して、上記攪拌棒３ｃ、３ｃ、３ｃを回転させながら破砕試験を行った。
【００５９】
その破砕試験方法は、キャベツ葉１１枚を投入し攪拌動作を開始して１０分後、２０分後、３０分後、６０分後及び８０分後に、それぞれ一旦攪拌を止めて槽内からキャベツ葉を取り出し、取り出したキャベツ葉のうち、大きいものから１１枚の縦、横のサイズをそれぞれメジャーで測定して面積を算出した後、取り出したキャベツ葉を再び槽内に戻して、再度設定した時間までの残時間の攪拌動作を行うようにした。そして各々の経過時間に於ける算出した１枚当たりの面積平均値（ｃｍ２  ）及び面積の減少率（％）を下記表１にまとめた。
【００６０】
また比較用として、図４に示した従来例の消滅型生ゴミ処理機の生ゴミ処理槽２２（内容量が６．５リットル、その槽内の底部中央に長さ９０ｍｍ、高さ５５ｍｍ、厚さ３ｍｍの一対の刃物２８ａ、２８ａを一ケ所に配設し、径２５ｍｍ、長さ１５０ｍｍの３本の攪拌棒２３ｃ、２３ｃ、２３ｃを配設してある）に、前記同様に被処理物としてキャベツ葉１１枚を投入し、前記同様の破砕試験を行い、その結果を下記表１に併記した。
【００６１】
【表１】
0003576867.tif 000002
【００６２】
＜テスト２＞
図１及び図２に示した実施例の消滅型生ゴミ処理機の生ゴミ処理槽２（テスト１で用いたのと同仕様によるもの）に被処理物として長ネギ（１本のサイズ：径１５ｍｍ×長さ２００ｍｍ）７本を投入して、テスト１と同様に攪拌しながら破砕試験を行った。
【００６３】
その破砕試験方法は、被処理物を投入し攪拌機を動作して１０分後、２０分後、３０分後、６０分後及び８０分後に、それぞれ一旦攪拌機を止めて槽内から長ネギを取り出し、取り出した長ネギのうち、大きいものから７本の長さをそれぞれメジャーで測定した後、取り出した長ネギを再び槽内に戻して、再度設定した時間までの残時間の攪拌動作を行うようにした。そして各々の経過時間に於ける測定した１本当たりの長さ平均値（ｍｍ）及び長さの減少率（％）を下記表２にそれぞれまとめた。
【００６４】
また比較用として、図４に示した従来例の生ゴミ処理機の生ゴミ処理槽２２（テスト１で用いたのと同仕様によるもの）にも、前記同様に被処理物として長ネギを７本投入し、前記同様の破砕試験を行い、その結果を下記表２に併記した。
【００６５】
【表２】
0003576867.tif 000003
【００６６】
＜テスト１及びテスト２の考察＞
上記表１及び表２の結果から判るように、実施例の消滅型生ゴミ処理機によるキャベツ葉及び長ネギの破砕試験結果は、従来例の消滅型生ゴミ処理機による破砕試験結果と比較して、既に運転を開始して１０分後の段階から、顕著に破砕が進んでおり、実施例の消滅型生ゴミ処理機は優れた破砕能力を有することが判る。
またその傾向としては、キャベツ葉は水分が多く繊維質が少ないので破砕効果が短時間で現れてくるが、長ネギは水分が少なく繊維質が多く含まれているのでやや破砕に時間がかかり、また時間が経過すると共に乾燥して破砕しにくくなるようであった。
【００６７】
更にこのテスト終了後の生ゴミ処理槽２、２２中を観察すると、実施例の消滅型生ゴミ処理機では、板状ブレード８ａの基部周辺その他のいずれの部位にも滞って動かなくなっている被処理物は認められなかった。また板状ブレード部材８ａそれ自体にも被処理物の粕が付着した様子は認められなかった。
【００６８】
しかして実施例の消滅型生ゴミ処理機によれば、投入された生ゴミ類が良好に破砕されて細かくなるため、微生物に接触する面積が増え、より分解速度が促進されることが分かる。また投入された生ゴミ類が槽内の一部に滞ることなく攪拌されるので、全体にわたって気相条件を良好に保持し得、この面でも生ゴミ類の良好な分解を促進し得ることが分かる。
【００６９】
【発明の効果】
従って、本発明１の消滅型生ゴミ処理機によれば、生ゴミ処理槽に投入された生ゴミ類は、攪拌手段で攪拌されて槽内を移動し、その際に、その攪拌棒によって前記板状ブレード部材に押付けられ、断裁や解砕が行われる機会にもしばしば会うこととなり、徐々に細かな断片状になる。そして、生ゴミ類は、そのような小さな断片状になると、微生物の侵入が容易になる損傷部の面積が増え、分解速度が飛躍的に向上することとなる。
【００７０】
前記生ゴミ処理槽に投入された被処理物中に、例えば、リンゴやバナナ又はニンジンやジャガイモ等の丸のままの果物や野菜等が含まれていた場合には、これらも又同様な作用を受け、いずれ細片化されることとなる。これらの丸のままのリンゴやカボチャのような果物や野菜に関しては、皮の付いた状態では、微生物類が容易にその内部に侵入することができないため、なかなか分解が進行しないが、以上のように、板状ブレード部材に接触して損傷が生じれば、その部位から微生物が侵入し、損傷のない状態に比べれば飛躍的に分解速度が向上することとなるものであるが、これが、前記のように、更に攪拌手段による攪拌動作に伴って小片化されることとなったので、微生物との接触損傷面積が増加し、さらに分解速度の向上が認められることになるものである。
【００７１】
なお前記被処理物を損傷させたり、断裁させたり、解砕させたりする際に、前記板状ブレード部材に付着することのある被処理物の粕は、前記攪拌棒が、その回転動作の際に、その溝で、前記板状ブレード部材を跨いで通過することとなるので、その際に上記溝の縁部の作用で除去されることとなり、該板状ブレード部材の損傷又は破砕能力は、常時これを良好に維持することができる。
【００７２】
また、前記のように、攪拌手段の攪拌棒と板状ブレード部材との関係が良好であるため、前記生ゴミ処理槽に於いては、攪拌手段による攪拌動作の際に、生ゴミ類が停滞して動かなくなるような死角は全く生じないので、停滞に起因する被処理物の気相条件の悪化の問題等が発生せず、良好な被処理物の分解が認められる。更に良好な攪拌作用が実現できるため、被処理物が板状ブレード部材に接触する機会も増加し、その結果、既述のように、生ゴミ類がより細かに破砕乃至断裁され、一層その分解が促進される結果となる。
【００７３】
本発明の２は、本発明の１の消滅型生ゴミ処理機に於いて、前記溝を、前記攪拌棒の先端中央部を門型に削除すること又は前記攪拌棒の先端部に２枚の板材を門型に突き出すように固設することのいずれかによって構成した消滅型生ゴミ処理機であり、それ故、本発明の２の消滅型生ゴミ処理機によれば、前記攪拌棒へ前記溝を簡単に形成することができる。特に前記攪拌棒が細いような場合には、前記攪拌棒の先端部に２枚の板材を門型に突き出すように固設する方法を用いれば、前記溝を一層容易に構成することができる。
【図面の簡単な説明】
【図１】一実施例の消滅型生ゴミ処理機の正面説明図。
【図２】一実施例の消滅型生ゴミ処理機の右側面説明図。
【図３】他の実施例の攪拌棒の先端部と板状ブレード部材とを示す説明図。
【図４】従来例の消滅型生ゴミ処理機に於ける生ゴミ処理槽の攪拌棒と刃物とを示す右側面説明図。
【符号の説明】
１        本体ケース
１ａ      ヒンジ
１ｂ      蓋体
２、２２  生ゴミ処理槽
３        攪拌手段
３ａ      軸受
３ｂ、２３ｂ  回転軸
３ｃ、１３ｃ、２３ｃ  攪拌棒
３ｄ、３ｆ  スプロケット
３ｅ      電動モータ
１３ｇ    チェーン
１３ｈ    板材
４        排気筒
４ａ、５ａ  フイルタ
４ｂ      排気手段
４ｃ      臭気吸着部
５        吸気口
６        加温手段
７        制御部
８ａ      板状ブレード部材
８ｂ      取付板
２８ａ    刃物
２８ｂ    連結板部
Ｍ１、Ｍ２  溝
【図１】
0003576867.tif 000004
【図２】
0003576867.tif 000005
【図３】
0003576867.tif 000006
【図４】
0003576867.tif 000007